(57)【特許請求の範囲】
【請求項１】
売上、広告データに基づく貸し出しサービス提供システムにおいて、
債務者端末から貸し出しの申し込みが入ると、貸し出し可能か否かを判定し、利率と限度を計算する貸し出し審査のために、売上／広告管理システムに過去の広告費執行内訳、広告による売上発生及び売上転換率（ＲＯＡＳ）を要請して受信する機能と、ショッピングモールシステムに過去の期間別売上内訳と、該当売上中、決済代行会社の決済システムを介して精算される売上の比率を要請して受信する機能と、決済システムに債務者ショッピングモールの過去の決済情報を要請して受信する機能と、債務者ショッピングモールで貸し出し会社と契約されている決済代行会社の決済システムを使用するのであれば、決済システムを介して貸し出し期間中に発生する売上債権を貸し出し会社に譲渡するという契約の締結内訳を貸し出し会社サーバーに保存し、債務者のショッピングモールシステムの端末が確認可能とする機能と、コンピュータがショッピングモールの過去の広告費執行内訳、売上転換率（ＲＯＡＳ）、期間別の売上を分析して広告費の執行に伴う将来の売上を予測する機能と、コンピュータが決済システムから収集した決済内訳に基づいて、売上債権の譲渡を通し、第３債務者から貸出金の回収可能性を予測する機能と、コンピュータが売上高／広告データ及び同種業界の売上データに基づいて貸し出し限度、金利、返済スケジュールを計算する機能と、貸し出し実行時点以後の返済期間の間に、ショッピングモールシステムで発生した売上と貸出金の返済スケジュールに基づいて返済日時をコンピュータが計算し、発生した売上中、事前に債権譲渡や口座変更を利用して、回収された金額で返済が不可能な場合、事前に売上債権の譲渡契約が締結されていない第３債務者から回収することをコンピュータが決める機能と、コンピュータによる計算の結果、返済が不可能と判断され、事前に債権が譲渡されていない決済代行会社（第３債務者）から回収が必要であれば、当該決済代行会社の決済システムに、債務者ショッピングモールの売上債権を貸し出し会社へ譲渡することを要請する機能と、貸出金の返済が完了すると貸し出しシステムは連結されている売上／広告管理システム、決済システム、ショッピングモールシステムに貸し出し返済が完了したことを伝送する機能と、を有する貸し出しシステムと；
前記貸し出しシステムから過去の広告費執行内訳、広告による売上発生及び売上転換率（ＲＯＡＳ）の要請を受けて伝送する機能と、貸出金の返済が完了すると貸し出しシステムから貸し出し返済が完了したとの伝送を受ける機能と、を有する売上／広告管理システムと；
前記貸し出しシステムから過去の期間別売上内訳と、該当売上中、決済代行会社の使用比率の要請を受けて伝送する機能と、債務者（ショッピングモール事業主）の、ショッピングモールシステムの端末が、貸し出しシステムに、決済システムから債務者のショッピングモールの決済内訳を照会させる機能と、ショッピングモールで売上が発生する場合、ショッピングモールシステムから貸し出しシステムに売上内訳を伝送する機能と、前記売上内訳中、貸し出し会社と契約されている決済代行会社（第３債務者）を介して生じた売上を、ショッピングモールシステムから貸し出しシステムに追加で伝送する機能と、貸出金の返済が完了すると貸し出しシステムから貸し出し返済が完了したとの伝送を受ける機能と、を有するショッピングモールシステムと；
前記貸し出しシステムから債務者ショッピングモールの過去の決済情報の要請を受けて伝送する機能と、ショッピングモールで貸し出し会社と契約されている決済代行会社の決済システムが使用されていれば、貸し出し期間のうちに発生する売上債権を貸し出し会社に譲渡する売上債権の譲渡契約を締結、または決済システムから売上の入金を受ける口座を貸し出し会社あるいは貸し出し会社が指定する口座に移転する契約を締結して、貸し出しシステムの貸し出し会社サーバーに保存し、売上債権譲渡契約締結内訳及び貸出期間の間発生する売上債権を、債務者のショッピングモールシステムの端末が確認可能とするようにする機能と、貸出金の返済が完了すると貸し出しシステムから貸し出し返済が完了したとの伝送を受ける機能と、を有する決済システムと；を備えることを特徴とする売上、広告データに基づく貸し出しサービス提供システム。
【請求項２】
前記貸し出しシステムと、 売上／広告管理システムで、広告費としてだけ貸し出しが行われる場合、貸し出しが承認されると、貸し出し会社サーバーから広告会社サーバーに貸出金を送金して、貸し出しシステムから売上／広告管理システムに送金結果を伝送する機能と、貸し出しが承認されると、広告会社サーバーでは貸し出し会社サーバーから貸出金の送金を受けて、売上／広告管理システムでは貸し出しシステムから送金結果の伝送を受ける機能と、または、貸し出し会社サーバーから広告会社サーバーあるいは広告会社サーバーと連携されている決済システムに広告費を決済して、広告会社サーバーは、貸し出し会社サーバーで実行した広告費決済結果を貸し出し会社サーバーに伝送する機能と、をさらに含むことを特徴とする請求項１に記載の売上、広告データに基づく貸し出しサービス提供システム。
【請求項３】
貸し出し会社サーバーと 広告会社サーバーとの間の貸出金の支給は、広告費貸し出し商品で貸し出し会社サーバーによって債務者の銀行口座に支給され、広告会社サーバーが支給の結果を確認する方法、貸し出し会社サーバーによって広告会社の口座に支給され、広告会社サーバーが支給の結果を確認する方法、広告費消尽時部分的に支給する方法、の中のいずれか１つの方法を貸し出し会社サーバーが行うことを特徴とする請求項１に記載の売上、広告データに基づく貸し出しサービス提供システム。
【請求項４】
前記貸出金は、貸し出し会社サーバーから貸し出しに対する返済が完了したと広告会社サーバーに知らせる前までは、広告会社サーバーから債務者（ショッピングモール事業主）端末に任意に払い戻せないよう、広告会社サーバーにおいて払い戻し送金が禁止されることを特徴とする請求項１に記載の売上、広告データに基づく貸し出しサービス提供システム。
【請求項５】
前記貸し出し審査で使用する資料は、広告費支出内訳、広告費支出による売上増加内訳、測定された売上転換率（ＲＯＡＳ）、期間別売上変化量を含むことを特徴とする請求項１に記載の売上、広告データに基づく貸し出しサービス提供システム。
【請求項６】
前記貸し出しシステムから貸し出し商品の審査基準を入れた貸し出し商品データを貸し出し広告サーバーを介して売上／広告管理システムに伝送すると、コンピュータが実行している貸し出し広告エージェントが、売上／広告データに基づいて、過去の売上及び広告費の使用内訳を通して、将来、どの程度のレベルの広告費を使用した場合に期待売上を発生できるかを予測する指標として使用されている売上転換率（ＲＯＡＳ）を計算し、これにより、将来の売上高を予想して貸し出し商品の審査基準を基に、貸し出し可能の有無、利率、限度を計算して、貸し出し広告が可能であると判断されると貸し出し情報を管理者情報端末に表示するようにすることを特徴とする請求項１に記載の売上、広告データに基づく貸し出しサービス提供システム。
【請求項７】
前記売上／広告管理システムの売上／広告データ管理サーバーまたはクライアントから売上／広告データを貸し出しシステムの貸し出し会社サーバーに伝達時に、貸し出し会社サーバーから債務者端末に売上／広告データのデータ要請をして、債務者端末から直接伝送、貸し出し会社サーバーあるいは債務者端末から売上／広告データの管理サーバーに接続してスクレイピングを利用した売上／広告データの抽出、提携を介した売上／広告データ抽出方法の中の、いずれか１つの方法を貸し出し会社サーバーが行うことで、売上／広告データが貸し出しシステムの貸し出し会社サーバーに伝達されることを特徴とする請求項１に記載の売上、広告データに基づく貸し出しサービス提供システム。
【発明の詳細な説明】
【技術分野】
【０００１】
本発明は、売上／広告管理システムから得た広告データとショッピングモールシステムからの売上データに基づいて貸し出しシステムを介して貸し出し審査と貸し出し実行及び貸出金の返済を行うことができて、貸出金の使用先を広告費執行対比売上転換率（ＲＯＡＳ）の予測可能な広告費執行にだけ使用させることで、未来の売上をより正確に予測可能でさらには調整できるだけでなく、追加的な広告費の支出分に対しても貸し出しが可能で、売上データに基づく貸し出し商品に対する広告時事業者の敏感な売上データを伝送せず広告を管理者情報端末で表示することによって、売上／広告データ管理サーバーあるいはクライアントで事前に使用者の同意なしに貸し出し広告を進行できると共に売上／広告データ管理サーバーとの提携を介して多数の顧客を速く確保することができて、事業者の売上／広告データを貸し出しシステムに伝送しなくても売上／広告管理システムで貸し出し可能の有無と利率と限度を計算して管理者（暫定債務者）の情報端末に表示でき、売上／広告データを貸し出しシステムに伝達時使用者が直接伝送、スクレイピングを利用したデータ抽出、提携を介したデータ抽出方法の中から選択的に行うことができるため、貸し出し申込者の便宜性を与えることができ、広告費貸し出し商品で債務者に支給及び広告会社に確認、直接送金、広告費消尽時部分的に支給する方法の中から便利に選択できる売上、広告データに基づく貸し出しサービス提供システムに関する技術である。
【背景技術】
【０００２】
特許文献１に開示されているところによると、金融産業の発展により、多くの現代人は様々な金融取り引きサービスを利用していて、これを介して便利な金融サービスを利用している状況である。
【０００３】
このような状況で金融取り引きサービスを提供する多くの金融機関は、携帯電話を利用したモバイル金融サービスを提供している状況である。
【０００４】
しかし、携帯電話を利用したモバイルサービスの場合、実際の現金が必要な時、現金を引き出す方法を提供するよりは振り替えサービス、照会サービスなどを提供するのに焦点を合わせていることにより、実際に急に現金が必要な人には利用が不便な問題がある。
【０００５】
一方、一般に売上／広告データに基づいて貸し出しを受けるためには、該当データが貸し出しシステムに転送されなければならないが、事業者の立場からこのデータを外部に公開することは非常に敏感な事案で、さらには貸し出し可能の有無も分からないまま公開することはより負担になることである。
【０００６】
しかし売上／広告管理システムから得た広告データとショッピングモールシステムからの売上データに基づいて貸し出しシステムを介して貸し出し審査と貸し出し実行及び貸出金の返済を行うことができるシステムはまだない。
【０００７】
また、売上データに基づく貸し出し商品に対する広告時事業者の敏感な売上データを伝送せず広告を管理者情報端末で表示して売上／広告データ管理サーバーあるいはクライアントで事前に使用者の同意なしに貸し出し広告を進行できると共に売上／広告データ管理サーバーとの提携を介して多数の顧客を速く確保することができるシステムがまだないのが現状である。
【０００８】
したがって、売上／広告管理システムから得た広告データとショッピングモールシステムからの売上データに基づいて貸し出しシステムを介して貸し出し審査と貸し出し実行及び貸出金の返済を行うことができて、貸出金の使用先を広告費執行対比売上増加（ＲＯＡＳ）の予測可能な広告費執行にだけ使用することになるため、未来の売上をより正確に予測可能でさらには調整できるだけでなく追加的な広告費の支出分に対しても貸し出しが可能で、売上データに基づく貸し出し商品に対する広告時事業者の敏感な売上データを伝送しなくて広告を管理者情報端末で表示するため、売上／広告データ管理サーバーあるいはクライアントで事前に使用者の同意なしに貸し出し広告を進行できると共に売上／広告データ管理サーバーとの提携を介して多数の顧客を速く確保することができて、事業者の売上／広告データを貸し出しシステムに伝送しなくても売上／広告管理システムで貸し出し可能の有無と利率と限度を計算して管理者（暫定債務者）情報端末に表示することができる売上、広告データに基づく貸し出しサービス提供システムの開発が切に求められているのが現状である。
【先行技術文献】
【特許文献】
【０００９】
【特許文献１】韓国公開特許２００９−０１１５０８８号公報
【発明の概要】
【発明が解決しようとする課題】
【００１０】
従って、本発明の目的は、前記のような問題点を解決しようと着目したものとして、売上／広告管理システムから得た広告データとショッピングモールシステムからの売上データに基づいて貸し出しシステムを介して貸し出し審査と貸し出し実行及び貸出金の返済を行うことができる売上、広告データに基づく貸し出しサービス提供システムを提供するところにある。
【００１１】
本発明の他の目的は、貸出金の使用先を広告費執行対比売上増加（ＲＯＡＳ）の予測可能な広告費執行にだけ使用することになるため、未来の売上をより正確に予測可能でさらには調整できるだけでなく追加的な広告費の支出分に対しても貸し出しが可能な売上、広告データに基づく貸し出しサービス提供システムを提供するところにある。
【００１２】
本発明のさらに他の目的は、売上データに基づく貸し出し商品に対する広告時事業者の敏感な売上データを伝送しなくて広告を管理者情報端末で表示するため、売上／広告データ管理サーバーあるいはクライアントで事前に使用者の同意なしに貸し出し広告を進行できると共に売上／広告データ管理サーバーとの提携を介して多数の顧客を速く確保することができる売上、広告データに基づく貸し出しサービス提供システムを提供するところにある。
【００１３】
本発明のさらに他の目的は、事業者の売上／広告データを貸し出しシステムに伝送しなくても売上／広告管理システムで貸し出し可能の有無と利率と限度を計算して管理者（暫定債務者）情報端末に表示することができる売上、広告データに基づく貸し出しサービス提供システムを提供するところにある。
【００１４】
本発明のさらに他の目的は、 売上／広告データを貸し出しシステムに伝達時使用者が直接伝送、スクレイピングを利用したデータ抽出、提携を介したデータ抽出方法の中から選択的に行うことができるため、貸し出し申込者の便宜性を与えることができる売上、広告データに基づく貸し出しサービス提供システムを提供するところにある。
【００１５】
本発明のさらに他の目的は、広告費貸し出し商品で債務者に支給及び広告会社に確認、直接送金、広告費消尽時部分的に支給する方法の中から便利に選択できる売上、広告データに基づく貸し出しサービス提供システムを提供するところにある。
【課題を解決するための手段】
【００１６】
前記目的を達成するための本発明の好ましい一実施形態に係る売上、広告データに基づく貸し出しサービス提供システムは、債務者端末から貸し出しの申し込みが入ると、売上／広告管理システムに過去の広告費執行内訳、広告による売上発生及び売上転換率（ＲＯＡＳ）を要請して受信する機能と、ショッピングモールシステムに過去の期間別売上内訳と該当売上中決済代行会社の使用比率を要請して受信する機能と、決済システムに債務者ショッピングモールの過去の決済情報を要請して受信する機能と、ショッピングモールで貸し出し会社と契約されている決済代行会社を決済システムとして使用するのであれば、決済システムを介して貸出期間の間発生する売上債権に対して債務者がショッピングモールシステムや端末を利用して貸し出し会社に譲渡したりまたは決済システムから売上の入金を受ける口座を貸し出し会社あるいは貸し出し会社が指定する口座に移転するとの契約の締結内訳を確認する機能と、ショッピングモールシステムで発生した売上と貸出金の返済スケジュールに基づいて早期返済または正常返済する返済日時と、追加入金必要または第３債務者から回収する返済金用意方式を決める機能と、決済代行会社（第３債務者）から回収が必要であれば決済システムにショッピングモールの特定売上債権に対して譲渡を要請する機能と、貸出金の返済が完了すると貸し出しシステムは連結されている売上／広告管理システム、決済システム、ショッピングモールシステムに貸し出し返済が完了したことを伝送する機能と、を有する貸し出しシステムと；前記貸し出しシステムから過去の広告費執行内訳、広告による売上発生及び売上転換率（ＲＯＡＳ）の要請を受けて伝送する機能と、貸出金の返済が完了すると貸し出しシステムから貸し出し返済が完了したとの伝送を受ける機能と、を有する売上／広告管理システムと；前記貸し出しシステムから過去の期間別売上内訳と該当売上中決済代行会社の使用比率の要請を受けて伝送する機能と、債務者（ショッピングモール事業主）は、ショッピングモールシステムまたは情報端末を利用して決済システムに貸し出しシステムが決済システムから債務者のショッピングモールの決済内訳を照会することを承認する機能と、ショッピングモールで売上が発生する場合、ショッピングモールシステムから貸し出しシステムに売上内訳を伝送する機能と、前記売上内訳中貸し出し会社と契約されている決済代行会社（第３債務者）を介して生じた売上は、ショッピングモールシステムから貸し出しシステムに該当決済内訳を追加伝送する機能と、貸出金の返済が完了すると貸し出しシステムから貸し出し返済が完了したとの伝送を受ける機能と、を有するショッピングモールシステムと；前記貸し出しシステムから債務者ショッピングモールの過去の決済情報の要請を受けて伝送する機能と、ショッピングモールで貸し出し会社と契約されている決済代行会社を決済システムとして使用するのであれば、債務者がショッピングモールシステムや端末を利用して貸出期間の間発生する売上債権に対して貸し出し会社に譲渡したりまたは決済システムから売上の入金を受ける口座を貸し出し会社あるいは貸し出し会社が指定する口座に移転する契約を締結して、貸し出しシステムで売上債権譲渡契約締結内訳及び貸出期間の間発生する売上債権を確認するようにする機能と、貸出金の返済が完了すると貸し出しシステムから貸し出し返済が完了したとの伝送を受ける機能と、を有する決済システムと；を備えることを特徴とする。
【００１７】
本発明において、前記貸し出しシステムは、ショッピングモールの過去の広告費執行内訳、売上転換率（ＲＯＡＳ）、期間別売上を分析して広告費執行による未来の売上を予測する機能と、決済システムから収集した決済内訳に基づいて第３債務者から貸出金回収の可能性を予測する機能と、売上及び広告データ及び同種業界売上データに基づいて貸し出し限度、利率、返済スケジュールを計算する機能と、をさらに含むことを特徴とする。 
【００１８】
本発明において、前記貸し出しシステムと、売上／広告管理システムで、広告費としてだけ貸し出しが行われる場合、貸し出しが承認されると、貸し出し会社サーバーから広告会社サーバーに貸出金を送金して、貸し出しシステムから売上／広告管理システムに送金結果を伝送する機能と、貸し出しが承認されると、広告会社サーバーでは貸し出し会社サーバーから貸出金の送金を受けて、売上／広告管理システムでは貸し出しシステムから送金結果の伝送を受ける機能と、または、貸し出し会社サーバーから広告会社サーバーあるいは広告会社サーバーと連携されている決済システムに広告費を決済して、広告会社サーバーは、貸し出し会社サーバーで実行した広告費決済結果を貸し出し会社サーバーに伝送する機能と、をさらに含むことを特徴とする。
【００１９】
本発明において、貸し出し会社サーバーと 広告会社サーバーとの間の貸出金の支給は、広告費貸し出し商品で債務者に支給及び広告会社に確認、直接送金、広告費消尽時部分的に支給する方法の中から選択して行うことを特徴とする。
【００２０】
本発明において、前記貸出金は、貸し出しシステムから該当貸し出し件に対する返済が完了したと売上／広告管理システムに知らせる前までには広告会社サーバーから債務者（ショッピングモール事業主）端末に払い戻し送金が不可能なことを特徴とする。
【００２１】
本発明において、貸し出し審査で使用する資料は、広告費支出内訳、広告費支出による売上増加内訳、測定された売上転換率（ＲＯＡＳ）、期間別売上変化量を含むことを特徴とする。
【００２２】
本発明において、前記貸し出しシステムから貸し出し商品の審査基準を入れた貸し出し商品データを貸し出し広告サーバーを介して売上／広告管理システムにある貸し出し広告エージェントに伝送すると、前記貸し出し広告エージェントは、売上／広告データを貸し出し商品の審査基準を基に計算して貸し出し可能の有無、利率、限度を計算して、貸し出し広告が可能であると判断されると貸し出し情報を管理者情報端末に表示するようにすることを特徴とする。
【００２３】
本発明において、前記売上／広告管理システムの売上／広告データ管理サーバーまたはクライアントから売上／広告データを貸し出しシステムの貸し出し会社サーバーに伝達時使用者が直接伝送、スクレイピングを利用したデータ抽出、提携を介したデータ抽出方法の中から選択的に行うことを特徴とする。
【発明の効果】
【００２４】
より詳細には、本発明に係る売上、広告データに基づく貸し出しサービス提供システムは次のような効果を有する。第一に、売上／広告管理システムから得た広告データとショッピングモールシステムからの売上データに基づいて貸し出しシステムを介して貸し出し審査と貸し出し実行及び貸出金の返済を行うことができる。
【００２５】
第二に、本発明は、貸出金の使用先を広告費執行対比売上転換率（ＲＯＡＳ）の予測可能な広告費執行にだけ使用させることで、未来の売上をより正確に予測可能でさらには調整できるだけでなく、追加的な広告費の支出分に対しても貸し出しが可能である。
【００２６】
第三に、本発明は、売上データに基づく貸し出し商品に対する広告時事業者の敏感な売上データを伝送せず広告を管理者情報端末で表示することによって、売上／広告データ管理サーバーあるいはクライアントで事前に使用者の同意なしに貸し出し広告を進行できると共に売上／広告データ管理サーバーとの提携を介して多数の顧客を速く確保することができる。
【００２７】
第四に、本発明は、事業者の売上／広告データを貸し出しシステムに伝送しなくても売上／広告管理システムで貸し出し可能の有無と利率と限度を計算して管理者（暫定債務者）の情報端末に表示できる。
【００２８】
第五に、本発明は、売上／広告データを貸し出しシステムに伝達時使用者が直接伝送、スクレイピングを利用したデータ抽出、提携を介したデータ抽出方法の中から選択的に行うことができるため、貸し出し申込者の便宜性を与えることができる。
【００２９】
第六に、本発明は、広告費貸し出し商品で債務者に支給及び広告会社に確認、直接送金、広告費消尽時部分的に支給する方法の中から便利に選択できる。 
【図面の簡単な説明】
【００３０】
【図１】本発明の一実施例に係る売上、広告データに基づく貸し出しサービス提供システムの構成を説明するために示した図面。
【図２】本発明の一実施例に係る売上、広告データに基づく貸し出しサービス提供システムで、貸し出し商品データを計算した後、貸し出し広告が可能であると判断される場合、貸し出し情報を管理者情報端末に表示する過程を説明するために示した図面。
【図３Ａ】本発明の一実施例に係る売上、広告データに基づく貸し出しサービス提供システムで、売上／広告データを貸し出しシステムで伝達する方法をそれぞれ使用者が直接伝送、スクレイピングを利用したデータ抽出、提携を介したデータ抽出する方法で行う過程を説明するために示した図面。
【図３Ｂ】本発明の一実施例に係る売上、広告データに基づく貸し出しサービス提供システムで、売上／広告データを貸し出しシステムで伝達する方法をそれぞれ使用者が直接伝送、スクレイピングを利用したデータ抽出、提携を介したデータ抽出する方法で行う過程を説明するために示した図面。
【図３Ｃ】本発明の一実施例に係る売上、広告データに基づく貸し出しサービス提供システムで、売上／広告データを貸し出しシステムで伝達する方法をそれぞれ使用者が直接伝送、スクレイピングを利用したデータ抽出、提携を介したデータ抽出する方法で行う過程を説明するために示した図面。
【図４Ａ】本発明の一実施例に係る売上、広告データに基づく貸し出しサービス提供システムで、広告費貸し出し商品で貸出金の支給をそれぞれ債務者に支給及び広告会社に確認、直接送金、広告費消尽時部分的に支給する方法で行う過程を説明するために示した図面。
【図４Ｂ】本発明の一実施例に係る売上、広告データに基づく貸し出しサービス提供システムで、広告費貸し出し商品で貸出金の支給をそれぞれ債務者に支給及び広告会社に確認、直接送金、広告費消尽時部分的に支給する方法で行う過程を説明するために示した図面。
【図４Ｃ】本発明の一実施例に係る売上、広告データに基づく貸し出しサービス提供システムで、広告費貸し出し商品で貸出金の支給をそれぞれ債務者に支給及び広告会社に確認、直接送金、広告費消尽時部分的に支給する方法で行う過程を説明するために示した図面。
【発明を実施するための形態】
【００３１】
以下、添付図面に基づき、本発明の好適な実施形態を説明する。本発明を説明するに当たって、関連する公知技術又は構成についての具体的な説明が本発明の要旨を余計に曖昧にする虞があると判断される場合には、その詳細な説明は省き、後述する用語は、本発明における機能を考慮して定義された用語であり、これは、ユーザー、運用者の意図または慣例などによって異なってくるため、その定義は、本発明に係る広告データに基づく貸し出しサービス提供システムを説明する本明細書の全般に亘っての内容を踏まえて下されるべきである。
【００３２】
以下、添付図面を参照して本発明の好適な一実施形態に係る売上、広告データに基づく貸し出しサービス提供システムを詳細に説明する。
【００３３】
図１は、本発明の一実施例に係る売上、広告データに基づく貸し出しサービス提供システムの構成を説明するために示した図面であり、図２は、本発明の一実施例に係る売上、広告データに基づく貸し出しサービス提供システムで、貸し出し商品データを計算した後、貸し出し広告が可能であると判断される場合、貸し出し情報を管理者情報端末に表示する過程を説明するために示した図面であり、図３Ａ乃至図３Ｃは、本発明の一実施例に係る売上、広告データに基づく貸し出しサービス提供システムで、売上／広告データを貸し出しシステムで伝達する方法をそれぞれ使用者が直接伝送、スクレイピングを利用したデータ抽出、提携を介したデータ抽出する方法で行う過程を説明するために示した図面であり、図４Ａ乃至図４Ｃは、本発明の一実施例に係る売上、広告データに基づく貸し出しサービス提供システムで、広告費貸し出し商品で貸出金の支給をそれぞれ債務者に支給及び広告会社に確認、直接送金、広告費消尽時部分的に支給する方法で行う過程を説明するために示した図面である。
【００３４】
本発明に係る売上、広告データに基づく貸し出しサービス提供システムは、売上／広告管理システム（または、広告会社サーバー）１００、貸し出しシステム（または、貸し出し会社サーバー）２００、決済システム３００、ショッピングモールシステム４００、管理者情報端末５００、貸し出し広告エージェント（ａｇｅｎｔ）１１０、貸し出し広告サーバー２１０等で構成される。
【００３５】
ここで、前記売上／広告管理システム１００は、広告会社サーバー、広告代理店サーバー、広告システム運営社サーバー、売上／広告データ管理サーバーまたはクライアントプログラムを含むものをいい、前記貸し出しシステム２００は、貸し出し会社サーバーを含むものをいい、前記決済システム３００は、決済代行会社、第３債務者端末を含むものをいい、前記ショッピングモールシステム４００は、債務者（借主）端末、借主が運営するショッピングモールの中貸し出し審査の対象となるショッピングモール、ショッピングモールウェブサーバーまたはショッピングモール管理用プログラムを含むものをいう。
【００３６】
図１乃至図４Ｃに示した通り、本発明に係る売上、広告データに基づく貸し出しサービス提供システムは、債務者端末から貸し出しの申し込みが入ると、売上／広告管理システムに過去の広告費執行内訳、広告による売上発生及び売上転換率（ＲＯＡＳ）を要請して受信する機能と、ショッピングモールシステムに過去の期間別売上内訳と該当売上中決済代行会社の使用比率を要請して受信する機能と、決済システムに債務者ショッピングモールの過去の決済情報を要請して受信する機能と、ショッピングモールで貸し出し会社と契約されている決済代行会社を決済システムとして使用するのであれば、決済システムを介して貸出期間の間発生する売上債権に対して債務者がショッピングモールシステムや端末を利用して貸し出し会社に譲渡したりまたは決済システムから売上の入金を受ける口座を貸し出し会社あるいは貸し出し会社が指定する口座に移転するとの契約の締結内訳を確認する機能と、ショッピングモールシステムで発生した売上と貸出金の返済スケジュールに基づいて早期返済または正常返済する返済日時と、追加入金必要または第３債務者から回収する返済金用意方式を決める機能と、決済代行会社（第３債務者）から回収が必要であれば決済システムにショッピングモールの特定売上債権に対して譲渡を要請する機能と、貸出金の返済が完了すると貸し出しシステムは連結されている売上／広告管理システム、決済システム、ショッピングモールシステムに貸し出し返済が完了したことを伝送する機能と、を有する貸し出しシステム２００と；前記貸し出しシステムから過去の広告費執行内訳、広告による売上発生及び売上転換率（ＲＯＡＳ）の要請を受けて伝送する機能と、貸出金の返済が完了すると貸し出しシステムから貸し出し返済が完了したとの伝送を受ける機能と、を有する売上／広告管理システム１００と；前記貸し出しシステムから過去の期間別売上内訳と該当売上中決済代行会社の使用比率の要請を受けて伝送する機能と、債務者（ショッピングモール事業主）は、ショッピングモールシステムまたは情報端末を利用して決済システムに貸し出しシステムが決済システムから債務者のショッピングモールの決済内訳を照会することを承認する機能と、ショッピングモールで売上が発生する場合、ショッピングモールシステムから貸し出しシステム２００に売上内訳を伝送する機能と、前記売上内訳中貸し出し会社と契約されている決済代行会社（第３債務者）を介して生じた売上は、ショッピングモールシステムから貸し出しシステムに該当決済内訳を追加伝送する機能と、貸出金の返済が完了すると貸し出しシステムから貸し出し返済が完了したとの伝送を受ける機能と、を有するショッピングモールシステム４００と；前記貸し出しシステムから債務者ショッピングモールの過去の決済情報の要請を受けて伝送する機能と、ショッピングモールで貸し出し会社と契約されている決済代行会社を決済システムとして使用するのであれば、債務者がショッピングモールシステムや端末を利用して貸出期間の間発生する売上債権に対して貸し出し会社に譲渡したりまたは決済システムから売上の入金を受ける口座を貸し出し会社あるいは貸し出し会社が指定する口座に移転する契約を締結して、貸し出しシステムで売上債権譲渡契約締結内訳及び貸出期間の間発生する売上債権を確認するようにする機能と、貸出金の返済が完了すると貸し出しシステムから貸し出し返済が完了したとの伝送を受ける機能と、を有する決済システム３００と；を備える。
【００３７】
前記本発明に係る売上、広告データに基づく貸し出しサービス提供システムを構成する各技術的手段の機能を説明すると次の通りである。
【００３８】
前記貸し出しシステム２００は、債務者端末４００から貸し出しの申し込みが入ると、売上／広告管理システム１００に過去の広告費執行内訳、広告による売上発生及び売上転換率（ＲＯＡＳ：Ｒｅｔｕｒｎ  ｏｎ  Ａｄｖｅｒｔｉｓｉｎｇ  Ｓｐｅｎｄ）を要請して受信する機能と、ショッピングモールシステム４００に過去の期間別売上内訳と該当売上中決済代行会社の使用比率を要請して受信する機能と、決済システム３００に債務者ショッピングモールの過去の決済情報を要請して受信する機能と、ショッピングモールで貸し出し会社と契約されている決済代行会社を決済システム３００として使用するのであれば、決済システム３００を介して貸出期間の間発生する売上債権に対して債務者がショッピングモールシステム４００や端末を利用して貸し出し会社に譲渡したりまたは決済システム３００から売上の入金を受ける口座を貸し出し会社あるいは貸し出し会社が指定する口座に移転するとの契約の締結内訳を確認する機能と、ショッピングモールシステム４００で発生した売上と貸出金の返済スケジュールに基づいて早期返済または正常返済する返済日時と、追加入金必要または第３債務者から回収する返済金用意方式を決める機能と、決済代行会社（第３債務者）から回収が必要であれば決済システム３００にショッピングモールの特定売上債権に対して譲渡を要請する機能と、貸出金の返済が完了すると貸し出しシステムは連結されている売上／広告管理システム１００、決済システム３００、ショッピングモールシステム４００に貸し出し返済が完了したことを伝送する機能と、を有する。ここで、広告費としてだけ貸し出しが行われる場合、貸し出しが承認されると、貸し出し会社サーバー２００から広告会社サーバー１００に貸出金を送金して、貸し出しシステム２００から売上／広告管理システム１００に送金結果を伝送する機能を有するものである。または、貸し出し会社サーバー２００から広告会社サーバー１００あるいは広告会社サーバー１００と連携されている決済システム３００に広告費を決済して、広告会社サーバー１００は、貸し出し会社サーバー２００で実行した広告費決済結果を貸し出し会社サーバーに伝送する機能を有するものである。
【００３９】
また、前記貸し出しシステム２００は、ショッピングモールの過去の広告費執行内訳、売上転換率（ＲＯＡＳ）、期間別売上を分析して広告費執行による未来の売上を予測する機能と、決済システム３００から収集した決済内訳に基づいて第３債務者から貸出金回収の可能性を予測する機能と、売上及び広告データ及び同種業界売上データに基づいて貸し出し限度、利率、返済スケジュールを計算する機能を有するものである。
【００４０】
また、図２に図示した通り、前記貸し出しシステム２００から貸し出し商品の審査基準を入れた貸し出し商品データを貸し出し広告サーバー２１０を介して売上／広告管理システム１００にある貸し出し広告エージェント１１０に伝送すると、前記貸し出し広告エージェント１１０は、売上／広告データを貸し出し商品の審査基準を基に計算して貸し出し可能の有無、利率、限度を計算して、貸し出し広告が可能であると判断されると貸し出し情報を管理者情報端末５００に表示するようにするものである。
【００４１】
前記売上／広告管理システム１００は、前記貸し出しシステム２００から過去の広告費執行内訳、広告による売上発生及び売上転換率（ＲＯＡＳ）の要請を受けて伝送する機能と、貸出金の返済が完了すると貸し出しシステム２００から貸し出し返済が完了したとの伝送を受ける機能を有するものである。ここで、広告費としてだけ貸し出しが行われた場合、貸し出しが承認されると、広告会社サーバー１００では貸し出し会社サーバー２００から貸出金の送金を受けて、売上／広告管理システム１００では貸し出しシステム２００から送金結果の伝送を受ける機能を有するものである。または、貸し出し会社サーバー２００から広告会社サーバー１００あるいは広告会社サーバー１００と連携されている決済システム３００に広告費を決済して、広告会社サーバー１００は、貸し出し会社サーバー２００で実行した広告費決済結果を貸し出し会社サーバーに伝送する機能を有するものである。
【００４２】
また、図３Ａ乃至図３Ｃに図示した通り、前記売上／広告管理システムの売上／広告データ管理サーバーまたはクライアント１００から売上／広告データを貸し出しシステムの貸し出し会社サーバー２００に伝達する方法を示したものである。
【００４３】
図３Ａの場合は、使用者（貸し出し申込者）が直接伝送する方法であるが、貸し出し申込者によっては複雑で不可能な場合があり、提出されたデータの信頼度に問題があり得るが、いかなる提携も必要なく、開発複雑度が低いものである。
【００４４】
図３Ｂの場合は、使用者（貸し出し申込者）が貸し出し会社サーバー２００に照会権限を委任すると、貸し出し会社サーバー２００でスクレイピングを利用してデータを抽出する方法であるが、貸し出し申込者のログイン情報を取得するため、今後破棄手続きが必要であるが、何ら提携が必要なく、速くかつ正確にデータ収集可能で、データの信頼度が高いものである。
【００４５】
図３Ｃの場合は、使用者（貸し出し申込者）が売上／広告データ管理サーバーまたはクライアント１００に照会権限を委任した提携を介したデータを抽出する方法であり、提携が必要であるが、速くかつ正確にデータ収集可能で、データの信頼度が高いものである。
【００４６】
前記ショッピングモールシステム４００は、前記貸し出しシステム２００から過去の期間別売上内訳と該当売上中決済代行会社の使用比率の要請を受けて伝送する機能と、債務者（ショッピングモール事業主）は、ショッピングモールシステム４００または情報端末を利用して決済システム３００に貸し出しシステム２００が決済システム３００から債務者のショッピングモールの決済内訳を照会することを承認する機能と、ショッピングモールで売上が発生する場合、ショッピングモールシステム４００から貸し出しシステム２００に売上内訳を伝送する機能と、前記売上内訳中貸し出し会社と契約されている決済代行会社（第３債務者）を介して生じた売上は、ショッピングモールシステム４００から貸し出しシステム２００に該当決済内訳を追加伝送する機能と、貸出金の返済が完了すると貸し出しシステム２００から貸し出し返済が完了したとの伝送を受ける機能と、を有するものである。 ここで、前記債務者のショッピングモールは、貸し出し審査対象ショッピングモール及び債務者名義の他のショッピングモールを含むものである。
【００４７】
前記決済システム３００は、前記貸し出しシステム２００から債務者ショッピングモールの過去の決済情報の要請を受けて伝送する機能と、ショッピングモールで貸し出し会社と契約されている決済代行会社を決済システム３００として使用するのであれば、債務者がショッピングモールシステム４００や端末を利用して貸出期間の間発生する売上債権に対して貸し出し会社に譲渡したり、または決済システム３００から売上の入金を受ける口座を貸し出し会社あるいは貸し出し会社が指定する口座に移転する契約を締結して、貸し出しシステム２００で売上債権譲渡契約締結内訳及び貸出期間の間発生する売上債権を確認するようにする機能と、貸出金の返済が完了すると貸し出しシステム２００から貸し出し返済が完了したとの伝送を受ける機能と、を有するものである。
【００４８】
また、上述したような、前記貸出金は、貸し出しシステム２００から該当貸し出し件に対する返済が完了したと売上／広告管理システム１００に知らせる前までには広告会社サーバー１００から債務者（ショッピングモール事業主）端末４００に払い戻し送金が不可能なものである。
【００４９】
また、上述したような、貸し出し審査で使用する資料は、広告費支出内訳、広告費支出による売上増加内訳、測定された売上転換率（ＲＯＡＳ）、期間別売上変化量である。
【００５０】
また、図４Ａ乃至図４Ｂに図示した通り、前記貸し出し会社サーバー２００と広告会社サーバー１００との間の広告費貸し出し商品で貸出金を支給する方法を示したものである。
【００５１】
図４Ａの場合は、貸し出し会社サーバー２００で債務者に支給したのを債務者が広告会社サーバー１００に広告費を支出すると、広告会社サーバー１００から貸し出し会社サーバー２００に広告費支出を確認するもので、債務者に支給及び広告会社に確認する方法である。
【００５２】
図４Ｂの場合は、貸し出し会社サーバー２００から広告会社サーバー１００に広告費を支給するもので、直接送金方法であり、この方法は債務者の変心による事故を防止できるものである。
【００５３】
図４Ｃの場合は、貸し出し会社サーバー２００から広告会社サーバー１００に広告費限度を通知すると、広告会社サーバー１００から貸し出し会社サーバー２００に広告費を要請して支給を受けるもので、広告費消尽時部分的に支給する方法であり、この方法は貸出金が一回で執行されるものではないため、利子が少なくなるものである。
【００５４】
以上に述べたように、本発明が属する技術分野に通常の知識を有する者が 本発明の技術的思想から逸脱しない範囲内で種々に置換、変形及び変更が可能であるため、上述の実施形態及び添付図面に限定されない。
【産業上の利用可能性】
【００５５】
上述したような、本発明に係る売上、広告データに基づく貸し出しサービス提供システムは、広告会社と、ショッピングモールと、金融機関が連携されたた与信分野に幅広く適用できる。
【図１】
0006512464.tif 000002
【図２】
0006512464.tif 000003
【図３Ａ】
0006512464.tif 000004
【図３Ｂ】
0006512464.tif 000005
【図３Ｃ】
0006512464.tif 000006
【図４Ａ】
0006512464.tif 000007
【図４Ｂ】
0006512464.tif 000008
【図４Ｃ】
0006512464.tif 000009